(57)【要約】      （修正有）【課題】健康増進効果や美容効果を更に高めることができる水素浴ユニットを提供する。【解決手段】水素水を生成する水素水生成装置３０と、水素水生成装置３０により生成された水素水を流通させる流路を有する水素水流通ライン４０と、水素水流通ライン４０から供給される水素水を充填し水素浴を行う浴槽６０と、を備える水素浴ユニット１であって、水素水流通ライン４０に、水素水生成装置３０から排気される水素ガスを供給する。排気される水素ガスは、水素ガスを流通する流路を有する排気水素ガス流通ライン５０を介して水素水流通ライン４０に供給され混合される。【選択図】図１
2018046878.tif 000002
【特許請求の範囲】
【請求項１】
水素水を生成する水素水生成装置と、前記水素水生成装置により生成された水素水を流通させる流路を有する水素水流通ラインと、前記水素水流通ラインから供給される水素水を充填し水素浴を行う浴槽と、を備える水素浴ユニットであって、
前記水素水流通ラインに、前記水素水生成装置から排気される水素ガスを供給することを特徴とする水素浴ユニット。
【請求項２】
前記水素ガスの供給圧力は、前記水素水の供給圧力よりも大きい圧力とすることを特徴とする請求項１に記載の水素浴ユニット。
【請求項３】
前記水素ガス流通ラインの口径は、前記水素水流通ラインの口径よりも小さい口径に設定されることを特徴とする請求項２に記載の水素浴ユニット。
【請求項４】
前記水素水生成装置は、水を供給する水供給口と、前記水素ガスを発生させる水素ガス発生器と、前記水供給口により供給された水と前記水素ガス発生器により発生した水素ガスとを混合して水素水を生成する水素水生成器と、前記水素水生成器により生成された水素水を前記水素水流通ラインに排出して供給する水素水排出口と、を備えるとともに、前記水素水生成器の上部に水素ガスを排気して前記水素ガス流通ラインに供給する水素ガス排気口を有することを特徴とする請求項４に記載の水素浴ユニット。
【請求項５】
前記水素ガス排気口は、前記水素水生成器の上壁に設けられることを特徴とする請求項４に記載の水素浴ユニット。
【請求項６】
前記水素水排出口は、前記水素水生成器において、前記水供給口よりも高位置に設定されることを特徴とする請求項５に記載の水素浴ユニット。
【請求項７】
前記水供給口は、前記浴槽から帰還した水素水を供給する水素水供給口とすることを特徴とする請求項４乃至請求項６のうちいずれか一項に記載の水素浴ユニット。
【発明の詳細な説明】
【技術分野】
【０００１】
本発明は、水素浴ユニットに関し、特に水素水を生成する水素水生成装置と、水素水生成装置により生成された水素水を供給する水素水供給ラインと、水素水供給ラインから供給される水素水を充填し水素浴を行う浴槽と、を備える水素浴ユニットに関する。
【背景技術】
【０００２】
近年の健康ブームから、例えば水素を浴槽に供給して水素浴を行う水素浴ユニットが提案されている。この水素浴ユニットは、例えば、特許文献１および特許文献２に示すように、水素ガスボンベを備えて浴槽の底部から水素を供給する。これにより、入浴者の健康増進効果や美容効果を高めることができる。
【先行技術文献】
【特許文献】
【０００３】
【特許文献１】特開２００８−５９７３号
【特許文献２】特開２００８−３６３３１号
【発明の概要】
【発明が解決しようとする課題】
【０００４】
しかしながら、近時は更なる健康志向から健康増進効果や美容効果を更に高めることができる水素浴ユニットの提案が強く求められている。
本発明はこのような事情に鑑みてなされたものであり、健康増進効果や美容効果を更に高めることができる水素浴ユニットを提供することを目的とする。
【課題を解決するための手段】
【０００５】
上記目的を達成するために、水素浴ユニットに係る請求項１の発明は、水素水を生成する水素水生成装置と、水素水生成装置により生成された水素水を流通させる流路を有する水素水流通ラインと、水素水流通ラインから供給される水素水を充填し水素浴を行う浴槽と、を備える水素浴ユニットであって、水素水流通ラインに、水素水生成装置から排気される水素ガスを供給することを特徴とする。
【０００６】
本発明によれば、水素水流通ラインに、水素水生成装置から排気される水素ガスを供給することとしたので、流通している水素水に水素ガスを供給することができ、水素ガスをミキシングしながら細かな気泡として水素水に混合させることができる。
【０００７】
しかも、水素水生成装置により生成された水素水と、水素水生成装置から排気される水素ガスとを混合するので、水素濃度が飽和濃度の水素水または飽和濃度に近い水素水に水素ガスを混合させることが可能となり、水素ガスが未溶解のまま混合し水素水中に細かな水素ガスの気泡を多数生成させることができる。
【０００８】
これにより、浴中において、入浴者が水素水に十分に接触するとともに、水素ガスの気泡にも十分に接触して、皮膚から水素を効率よく摂取しながら入浴することができる。
【０００９】
また、浴槽の湯面においても細かな水素ガスの気泡が多数破裂して、湯面における水素ガス濃度を効率よく高めることができ、入浴者が呼吸によっても水素ガスを効率よく摂取することができる等、健康増進効果や美容効果を更に高めることができる。
【００１０】
水素ガスの供給圧力は、水素水の供給圧力よりも大きい圧力とすることとすれば、水素ガスを水素水に供給し易くなり、水素ガスを水素水に更に効率よく混合させることができる（請求項２）。
【００１１】
水素ガス流通ラインとの口径は、水素水流通ラインの口径よりも小さい口径に設定されることとすれば、水素ガスの供給圧力を水素水の供給圧力よりもより高く設定することが可能となる（請求項３）。
【００１２】
水素水生成装置は、水を供給する水供給口と、水素ガスを発生させる水素ガス発生器と、水供給口により供給された水と水素ガス発生器により発生した水素ガスとを混合して水素水を生成する水素水生成器と、水素水生成器により生成された水素水を水素水流通ラインに排出して供給する水素水排出口と、を備えるとともに、水素水生成器の上部に水素ガスを排気して水素ガス流通ラインに供給する水素ガス排気口を有することとすれば、水素ガス排気口を介して容易に水素ガスを排気しながら水素水流通ラインに供給することができる（請求項４）。
【００１３】
水素ガス排気口は、水素水生成器の上壁に設けられることとすることができる（請求項５）。
【００１４】
水素水排出口は、水素水生成器において、水供給口よりも高位置に設定されることとすることができる。
【００１５】
すなわち、水素水排出口を水供給口よりも高位置に設定することにより、水素水生成器における水の滞留時間を増加させて水と水素ガスとの接触効率を高めることができ、水素水生成装置における水素水の生成効率を向上させることができるが、一方で、水素水生成容器内において未溶解の水素ガスが上方空間に溜まり、その圧力により水面が押し下げられて水位が低下し高位置の水素水排出口からの水素水の排出が阻害される恐れがある。このような場合にあっても、本発明の如く水素水生成容器内の水素ガスを排気することにより、水位が低下することを防止することができ、効率よく水素水を生成することができる（請求項６）。
【００１６】
水供給口は、浴槽から帰還した水素水を供給する水素水供給口とすることができる（請求項７）。
【発明の効果】
【００１７】
本発明によれば、健康増進効果や美容効果を更に高めることができる。
【図面の簡単な説明】
【００１８】
【図１】本発明の実施形態に係る水素浴ユニットの構成を示す系統図である。
【図２】同水素浴ユニットにおける水素水生成装置の構造を示す図である。
【図３】同水素浴ユニットにおける水素水流通ラインと水素ガス流通ラインの接続状態を示す図である。
【発明を実施するための形態】
【００１９】
以下、本発明の実施形態について図面を参照して詳細に説明する。
図１は、本発明の実施形態に係る水素浴ユニット１の構成を示す図である。同図を参照して本実施形態に係る水素浴ユニット１の概要を説明すると、水素浴ユニット１は、濾過器１０、水素水生成装置３０、水素水流通ライン４０、排気水素ガス流通ライン５０、および浴槽６０を備えており、水素水を循環させながら水素水に水素ガスを混合させ浴槽６０に連続的に供給させる構成となっている。
【００２０】
すなわち、濾過器１０は、浴槽６０に充填された水素水を帰還ライン６０ａを介して供給し、供給された水素水を濾過する機能を有している。濾過器１０には、水素水を濾過するための各種のフィルターを採用することができる。
【００２１】
水素水生成装置３０は、濾過器１０により濾過された水素水と、水素ガスとを混合し、水素水を生成する機能を有している。
【００２２】
すなわち、水素水生成装置３０は、図２に示すように、水供給口３１より詳しくは水素水供給口３１、水素ガス発生器３２、水素水生成器３３、水素水排出口３４、および水素ガス排気口３５を有している。
【００２３】
水供給口３１より、詳しくは水素水供給口３１は濾過器１０により濾過された水より、詳しくは浴槽６０から帰還し濾過された水素水を水素水生成器３３に供給する機能を有している。水供給口３１は、水素水生成器３３において相対的に低位置に設けられている。
【００２４】
水素ガス発生器３２は、水素水生成器３３内に備えられており、電極で構成されている。電極は、水供給口３１（より詳しくは水素水供給口３１）から供給された水（より詳しくは水素水）を電気分解して水素ガスを発生させる機能を有している。
【００２５】
水素水生成器３３は、水素水供給口３１により供給された水素水と水素ガス発生器３２により発生した水素ガスとを混合することにより、浴槽６０や濾過器１０で損失した水素ガスを補給して水素水を生成より詳しくは水素水を再生成する機能を有している。
【００２６】
水素水排出口３４は、水素水生成器３３により生成された水素水を水素水流通ライン４０に排出して供給する機能を有している。水素水排出口３４は、水素水生成器３３において、相対的に高位置により詳しくは水供給口３１よりも高位置に設けられている。
【００２７】
水素ガス排気口３５は、水素水生成器３３の上部３３ａより詳しくは上壁３３ａに設けられており、水素水発生器３３から水素ガスを排気して水素ガス流通ライン５０に供給する機能を有している。
【００２８】
水素水流通ライン４０は、内部が中空の断面円筒状の配管で構成されている。水素水流通ライン４０は、水素水生成装置３０により生成された水素水を流通させる流路４０´を有しており、流通する水素水を浴槽６０に連続的に供給する機能を有している。水素水流通ライン４０には、水素水生成装置３０から排気される水素ガスが水素ガス流通ライン５０を介して供給される。
【００２９】
ここで、水素水流通ライン４０は、水素水生成装置３０から排気される水素ガスと、水素水生成装置３０により生成される水素水とを混合する混合器４０ａを備えている。
【００３０】
図３に示すように、排気される水素ガスは、排気水素ガス流通ライン５０を介して水素水流通ライン４０の上方側から、より詳しくは混合器４０ａの上方側から供給され混合される。排気水素ガス流通ライン５０は、内部が中空の断面円筒状の配管により構成され水素ガスを流通する流路５０´を有する
【００３１】
ここで、水素水流通ライン４０における水素ガスの供給圧力は、より詳しくは混合器４０ａにおける水素ガスの供給圧力は、水素水の供給圧力よりも大きい圧力としている。
【００３２】
すなわち、排気水素ガス流通ライン５０の口径ｄは、より詳しくは水素水流通ライン４０の混合器４０ａにおける排気水素ガス流通ライン５０の接続口径ｄは、水素水流通ライン４０の口径Ｄより詳しくは混合器４０ａにおける水素水流通ライン４０の接続口径Ｄよりも小さい口径に設定されており、これにより水素水流通ライン４０における水素ガスの供給圧力を、水素水の供給圧力よりも大きい圧力とすることが可能となる。
【００３３】
以上の構成により生成された水素水は以下の動作により浴槽６０に供給される。すなわち、浴槽６０から帰還した水素水は、濾過器１０により濾過されて水素水生成装置３０の水供給口３１を介して水素水生成器３３に供給されるとともに、水素ガス発生器３２により発生した水素ガスと混合される。混合された水素水は、水素水排出口３４を介して水素水流通ライン４０に供給される。また、水素水生成器３３の上壁３３ａに設けられた水素ガス排気口３５を介して未溶解の水素ガスが排気水素ガス流通ライン５０に排気される。水素水流通ライン４０に供給された水素水と排気水素ガス流通ライン５０に排気された水素ガスは混合器４０ａに供給されミキシングされた水素水が浴槽６０に送られる。浴槽６０は、混合器４０ａから供給された水素水が充填され入浴者が水素浴を行うことができる。
【００３４】
以上説明したように本発明によれば、水素水流通ライン４０に、水素水生成装置３０から排気される水素ガスを供給することとしたので、流通している水素水に水素ガスを供給することができ、水素ガスをミキシングしながら細かな気泡として水素水に混合させることができる。
【００３５】
しかも、水素水生成装置３０により生成された水素水と、水素水生成装置３０から排気される水素ガスとを混合するので、水素濃度が飽和濃度の水素水または飽和濃度に近い水素水に水素ガスを混合させることが可能となり、水素ガスが未溶解のまま混合し水素水中に細かな水素ガスの気泡を多数生成させることができる。
【００３６】
これにより、浴中において、入浴者が水素水に十分に接触するとともに、水素ガスの気泡にも十分に接触して、皮膚から水素を効率よく摂取しながら入浴することができる。
【００３７】
また、浴槽６０の湯面においても細かな水素ガスの気泡が多数破裂して、湯面における水素ガス濃度を効率よく高めることができ、入浴者が呼吸によっても水素ガスを効率よく摂取することができる等、健康増進効果や美容効果を更に高めることができる。
【００３８】
排気される水素ガスは、排気水素ガス流通ライン５０を介して水素水を流通する流路４０´を有する水素水流通ライン４０に供給され混合されることとしたので、流路４０´内において水素ガスを水素水に供給することができ、水素ガスを水素水に効率よく混合させることができる。
【００３９】
水素水流通ライン４０における水素ガスの供給圧力は、水素水の供給圧力よりも大きい圧力とすることとしたので、水素ガスを水素水に供給し易くなり、水素ガスを水素水に更に効率よく混合させることができる。
【００４０】
水素水流通ライン４０における排気水素ガス流通ライン５０の接続口径ｄは、水素水流通ライン４０の接続口径Ｄよりも小さい口径に設定されることとしたので、水素ガスの供給圧力を水素水の供給圧力よりもより高くすることができる。
【００４１】
水素水生成装置３０は、水を供給する水供給口３１より詳しくは水素水供給口３１と、水素ガスを供給する水素ガス供給口３２と、水素水供給口３１により供給された水素水と水素ガス供給口３２により供給された水素ガスとを混合して水素水を生成する水素水生成器３３と、水素水生成器３３により生成された水素水を水素水流通ライン４０に排出して供給する水素水排出口３４と、を備えるとともに、水素水生成器３３の上部３３ａより詳しくは上壁３３ａに排気水素ガス流通ライン５０に供給される水素ガスを排気する水素ガス排気口３５を有することとしたので、水素ガス排気口３５を介して水素水生成器３３から容易に水素ガスを排気しながら排気水素水流通ライン５０に供給することができる。
【００４２】
水素水排出口３４は、水素水生成器３３において、相対的に高位置により詳しくは水供給口３１よりも高位置に設定されており、以下の技術的効果を有する。
【００４３】
すなわち、水素水排出口３４を水素水供給口３１よりも高位置に設定することにより、水素水生成器３３における水素水の滞留時間を増加させて水と水素ガスとの接触効率を高めることができ、水素水生成装置３０における水素水の生成効率を向上させることができるが、一方で、水素水生成容器３３内において未溶解の水素ガスが上方空間に溜まり、その圧力により水面が押し下げられて水位が低下し高位置の水素水排出口からの水素水の排出が阻害される恐れがある。このような場合にあっても、本発明の如く水素水生成容器３３内の水素ガスを排気することにより、水位が低下することを防止することができ、効率よく水素水を生成することができる。
【００４４】
なお、本発明は特許請求の範囲を逸脱しない範囲で各種の応用実施を行うことが可能であることは勿論である。
【産業上の利用可能性】
【００４５】
本発明は、水素水を生成する水素水生成装置と、水素水生成装置により生成された水素水を供給する水素水供給ラインと、水素水供給ラインから供給される水素水を充填し水素浴を行う浴槽と、を備えることにより、効率よく水素を摂取することができ、健康増進効果や美容効果を更に高めることができる水素浴ユニットを提供する。これにより水素浴ユニットの新たな価値を生み出し業界の発展に大きく貢献する。 
【符号の説明】
【００４６】
Ｄ：水素水流通ラインの接続口径
ｄ：排気水素ガス流通ラインの接続口径
１：水素浴ユニット
１０：濾過器
３０：水素水生成装置
３１：水供給口（水素水供給口）
３２：水素ガス発生器
３３：水素水生成器
３３ａ：上部（上壁）
３４：水素水排出口
３５：水素ガス排気口
４０：水素水流通ライン
４０´：流路
４０ａ：混合器
５０：排気水素ガス流通ライン
５０´：流路
６０：浴槽
６０ａ：帰還ライン
【図１】
2018046878.tif 000003
【図２】
2018046878.tif 000004
【図３】
2018046878.tif 000005